(57)【要約】  鳥類休息防止装置を開示する。本装置は、トラックと、電気導体と、電源とを含む。電気導体は、その一部分を露出した状態に残してトラックの内部に埋め込まれる。電源は、電気導体に対して高電圧の低電流値を供給して、本装置が鳥類及び人の両方に無害であるが、鳥類が本装置上で休息しないようにするのに有効である衝撃を与えることになるようにする。【選択図】図１【特許請求の範囲】
【請求項１】
細長いトラックと、
前記トラックの内部に少なくとも部分的に埋め込まれ、ロープの周りに設けられた複数の電線を含む電気導体と、
前記電気導体に対して作動的に結合された電源と、
を含む鳥類休息防止装置。
【請求項２】
前記電気導体が、ロープの周りに設けられた少なくとも５本の電線を含む、請求項１に記載の鳥類休息防止装置。
【請求項３】
前記電気導体が、ロープの周りに設けられた５〜１０本の電線を含む、請求項２に記載の鳥類休息防止装置。
【請求項４】
前記電気導体が、ロープの周りに設けられた９本の電線を含む、請求項３に記載の鳥類休息防止装置。
【請求項５】
前記ロープが、実質的に非導電性材料で構成される、請求項２に記載の鳥類休息防止装置。
【請求項６】
前記電気導体が、断面がほぼ円形であり、約０．１２５インチ〜約０．１７５の直径を有する、請求項１に記載の鳥類休息防止装置。
【請求項７】
前記トラックが、その一部分を露出した状態に残しながら前記電気導体を実質的に埋め込むような寸法になった溝を含む、請求項１に記載の鳥類休息防止装置。
【請求項８】
前記溝が、前記電気導体の約１％〜約２０％を露出した状態に残すような寸法になっている、請求項７に記載の鳥類休息防止装置。
【請求項９】
前記溝が、前記電気導体の約１０％〜約２０％を露出した状態に残すような寸法になっている、請求項８に記載の鳥類休息防止装置。
【請求項１０】
前記トラックが、その一部分を露出した状態に残しながら第２の電気導体を実質的に埋め込むような寸法になった第２の溝を含む、請求項７に記載の鳥類休息防止装置。
【請求項１１】
前記溝が、前記トラックの長手方向軸線にほぼ平行である、請求項１０に記載の鳥類休息防止装置。
【請求項１２】
前記トラックが、前記溝間に、該装置を対象物に取り付けるのを可能にするための複数の孔を形成する、請求項１１に記載の鳥類休息防止装置。
【請求項１３】
前記トラックが、前記鳥類休息防止装置を対象物に取り付けるのを可能にするための、前記露出した電気導体に対向する平坦面を含む、請求項７に記載の鳥類休息防止装置。
【請求項１４】
前記トラックの内部に埋め込まれた第２の電気導体をさらに含み、前記第２の電気導体が、ロープの周りに設けられた複数の電線を含む、請求項１に記載の鳥類休息防止装置。
【請求項１５】
前記電源が、前記電気導体に対して高電圧の低電流値を供給するように設計される、請求項１に記載の鳥類休息防止装置。
【請求項１６】
前記電源が、前記電気導体に対して約４０００ボルト〜約８０００ボルトの約３アンペア〜約６アンペアを供給する、請求項１５に記載の鳥類休息防止装置。
【請求項１７】
前記電源が直流電源である、請求項１に記載の鳥類休息防止装置。
【請求項１８】
前記電源が交流電源である、請求項１に記載の鳥類休息防止装置。
【発明の詳細な説明】
【技術分野】
【０００１】
本発明は、鳥類及び他の有害な小動物が区域に住み着きまたその区域を汚すのを防止するための装置に関する。具体的には、本発明は、鳥類休息防止装置に関する。
【背景技術】
【０００２】
多くの場所において、鳥類がいることが望ましくなく、また有害でさえある。例えば、鳥類は、商業用及び居住用建物における暖房、冷房及び換気（ＨＶＡＣ）システムの正常な機能を妨げるおそれがある。鳥類の自然排泄物もまた、人、装置及び構造物に悪影響を及ぼすことが多い。
【０００３】
これらの区域において鳥類の休息（鳥類が止まること）を防止するための幾つかの装置が知られている。しかしながら、鳥類に有害な影響を与えずに鳥類の休息を効果的に防止するような公知の装置は存在しない。
【発明の開示】
【０００４】
本発明は、鳥類が対象物近くに止まるのを防止する鳥類休息防止装置に関する。本装置は、トラックと、電気導体と、電源とを含む。トラックは、細長く、頑丈でかつ可撓性があるのが好ましい。トラックは、１つ又はそれ以上の溝を含むことができ、この溝内に１つ又はそれ以上の電気導体が埋め込まれる。電気導体の一部分は露出した状態に残され、本装置上に舞い降りた鳥類が電気導体と接触することになるようにする。溝は、電気導体の好ましくは約１％〜約２５％を露出した状態に残しながら該溝内に電気導体をぴったり保持するような寸法になっている。
【０００５】
溝は、トラックの長手方向軸線にほぼ平行であるのが好ましい。トラックは、保護すべき対象物又は区域に鳥類休息防止装置を取り付けるのを可能にするための、露出した電気導体に対向する平坦面を有することができる。トラックは、対象物と平坦面との間の接着剤又はテープのような接着材によって対象物に取り付けることができる。また、単独で又は接着材と組み合わせて、機械式締結具を使用することもできる。機械式締結具を使用する場合には、これら機械式締結具は、溝間でトラック内に設置した孔を通して結合されるのが好ましい。
【０００６】
各電気導体は、ロープの周りに設けられた複数の電線を含む。電気導体は、ロープの周りに設けられた少なくとも５本の電線を含むのが好ましい。電気導体は、ロープの周りに設けられた５〜１０本の電線を含むのがより好ましく、また電気導体は、ロープの周りに設けられた９本の電線を含むのが最も好ましい。電線は導電性であり、またロープは導電性ではない。電線及びロープは編むことができ、断面がほぼ同一の直径を有する円形であるのが好ましい。好ましい直径は、両者を含めて約０．０２インチ〜約０．０３インチの範囲内である。電気導体は、断面がほぼ円形であり、約０．１２５インチ〜約０．１７５インチの直径を有することができる。
【０００７】
電源は、電気導体に対して作動的に接続されて該電気導体に電気を供給する。電源は、電気導体に高電圧の低電流値を供給するように設計されて、本装置が鳥類及び人の両方に無害ではあるが、鳥類が本装置上で休息しないようにするのに有効である衝撃を与えることになるようにする。好ましい範囲には、約４０００ボルト〜８０００ボルトの約３アンペア〜約６アンペアが含まれる。電源は、直流電源又は交流電源のいずれかとすることができる。
【発明を実施するための最良の形態】
【０００８】
同じ符号が同様の要素を示す添付図面を参照して、本発明を説明する。
【０００９】
図１は、本発明による鳥類休息防止装置１を示す。装置１は、細長いトラック２０と電気導体４０とを含む。トラック２０は、頑丈な可撓性材料で構成されるのが好ましい。さらに、トラック２０は、非導電性材料で作るのが好ましい。トラック２０用の好ましい材料は、ポリエチレンである。トラック２０は、電気導体４０の一部分を露出した状態に残しながらその中に電気導体４０を少なくとも部分的に埋め込むような寸法になった少なくとも１つの溝２２を含む。
【００１０】
図２は、電気導体４０の詳細断面図を示す。図示するように、導体４０の好ましい実施形態は、ロープ４４の周りに複数の電線４２を含む。電線４２及びロープ４４は、編むことができる。電気導体４０は、ロープ４４の周りに少なくとも５本の電線４２を含むのが好ましく、また５〜１０本の電線４２を含むのがより好ましい。最も好ましい実施形態では、ロープ４４の周りに９本の電線４２を含む。ロープ４４は、ポリエチレンのような実質的に非導電性材料で作られるのが好ましく、電線４２は、錫めっきをした銅及びステンレス鋼のような導電性材料で作られるのが好ましい。電線４２及びロープ４４は、断面が円形であるのが好ましく、ほぼ同一の直径を有することができる。好ましい直径は、両者を含めて約０．０２インチ〜約０．０３インチの範囲内である。
【００１１】
電気導体４０は、断面がほぼ円形であり、約０．１２５インチ〜約０．１７５インチの直径を有するのが好ましい。溝２２は、電気導体４０の一部分を露出した状態に残しながらその中に導体４０がぴったり保持するような寸法になっており、装置１上に舞い降りた鳥類が電気導体４０と接触して衝撃を受けることになるようにする。好ましい露出量は、電気導体４０の約１％〜約２５％であり、より好ましい露出量は、電気導体４０の約１０％〜約２０％である。これらのパーセンテージは、電気導体４０の外表面積又は外径のパーセンテージとして測定することができる。
【００１２】
装置１は、第２の電気導体４０を埋め込むための第２の溝２３を含むのが好ましい。溝２２、２３は、トラック２０の長手方向軸線ＬＡにほぼ平行である。トラック２０の溝２２、２３の間にある領域２４は、保護すべき対象物又は区域に装置１を取り付けるのを可能にするための複数の孔２５を形成することができる。トラック２０はまた、保護すべき対象物又は区域に装置１を取り付けるのを可能にするための、露出した電気導体４０に対向する平坦面２６を含むのが好ましい。
【００１３】
装置１はさらに、電気導体４０に対して作動的に結合された電源５０を含む。電源５０は、電気導体に対して高電圧の低電流値を供給するように設計されて、装置１が鳥類及び人の両方に無害であるが、鳥類が該装置上で休息しないようにするのに有効である衝撃を与えることになるようにする。電源５０は、電気導体に対して約４０００ボルト〜約８０００ボルトの約３〜約６アンペアを供給するのが好ましい。電源５０はさらに、直硫電源又は交流電源のいずれかとすることができる。電源５０は、直流及び交流成分の両方の組み合わせを含むことができ、これは、電源喪失の場合にバックアップ電源を形成する上で利点を発揮することになる。
【００１４】
図３は、対象物６０に取り付けられて鳥類が該対象物上に止まるのを防止する鳥類休息防止装置１を示す。対象物６０は、その周りに鳥類がいることが望ましくない棚、ダクト又は欄干のようなあらゆる物又はあらゆる区域とすることができる。トラック２０は、保護すべき区域の周りの対象物６０に結合される。トラック２０は、対象物６０と平坦面２６との間の接着剤又はテープのような接着材によって結合することができる。また、機械式締結具を単独で又は接着材と組み合わせて使用して、装置１を対象物６０に結合することもできる。機械式締結具を使用する場合には、これら機械式締結具は、孔２５を通して結合されるのが好ましい。電源５０は、電気導体４０に対して作動的に結合され、鳥類が対象物６０上で休息するのを防止するために電流が供給される。
【００１５】
本発明の好ましい実施形態について上述してきたが、それら実施形態は、単に実施例として提示したものであって、限定として提示したものではないことを理解されたい。本発明の思想及び範囲から逸脱することなく、これらの実施形態において形態及び細部の様々な変更を加えることができることは、当業者には明らかであろう。例えば、本発明は鳥類が休息するのを防止することに関して上述してきたが、本発明は、他の望ましくない動物が保護すべき対象物又は区域の周りで休息し或いはその周りに住み着くのを防止するためにも同様に使用することができる。従って、本発明は、上述の例示的な実施形態によって限定されるべきではなく、特許請求の範囲及びその均等物によってのみ定められるべきである。
【図面の簡単な説明】
【００１６】
【図１】本発明による鳥類休息防止装置を示す。
【図２】図１の鳥類休息防止装置における電気導体の詳細断面図を示す。
【図３】使用中の図１の鳥類休息防止装置を示す。
【符号の説明】
【００１７】
１  鳥類休息防止装置
２０  トラック
２２、２３  溝
２５  孔
２６  平坦面
４０  電気導体
ＬＡ  長手方向軸線
【図１】
2007522816.tif 000002
【図２】
2007522816.tif 000003
【図３】
2007522816.tif 000004
【国際調査報告】
2007522816.tif 000005
2007522816.tif 000006